(57)【要約】  【課題】本発明は、各繊維を極細にして歯及び歯茎に対して均一に押圧可能とし、白金ナノ粒子により歯周病菌をより確実に殺傷できるようにした歯ブラシを提供する。  【解決手段】  本発明に係る歯ブラシは、ヘッド部及びこれと接続されたハンドル部を備え上面と下面を有する歯ブラシ本体の、該ヘッド部の上面に、直径０．１ｍｍ未満の複数の繊維が一様に植え付けられて群を成す繊維群ユニットを具備する歯ブラシであって、前記繊維群ユニットを構成する各々の繊維は、ナノサイズの粒径の複数の白金ナノ粒子を備えることを特徴とする。【選択図】  図１
2020071277.tif 000002
【特許請求の範囲】
【請求項１】
ヘッド部及びこれと接続されたハンドル部を備え上面と下面を有する歯ブラシ本体の、該ヘッド部の上面に、直径０．１ｍｍ未満の複数の繊維が一様に植え付けられて群を成す繊維群ユニットを具備する歯ブラシであって、
前記繊維群ユニットを構成する各々の繊維は、ナノサイズの粒径の複数の白金ナノ粒子を備えることを特徴とする、歯ブラシ。
【請求項２】
ヘッド部及びこれと接続されたハンドル部を備え、上面と下面を有する歯ブラシ本体と、
上面と下面を有する繊維床の該上面に、直径０．１ｍｍ未満の複数の繊維が一様に植え付けられて構成される繊維群ユニットと、
を備え、前記ヘッド部の上面に、前記繊維群ユニットを構成する前記繊維床の下面が接着された歯ブラシであって、
前記繊維群ユニットを構成する各々の繊維は、ナノサイズの粒径の複数の白金ナノ粒子を備えることを特徴とする、歯ブラシ。
【請求項３】
ヘッド部及びこれと接続されたハンドル部を備え、上面と下面を有する歯ブラシ本体と、
前記ヘッド部の上面に、直径０．１ｍｍ未満の複数の繊維が一様に植え付けられて構成される繊維群ユニットと、
を備え、
前記繊維群ユニットを構成する複数の繊維は、それぞれナノサイズの粒径の複数の白金ナノ粒子を備えることを特徴とする、歯ブラシ。
【請求項４】
前記繊維群ユニットを構成する前記繊維の直径が０．０８ｍｍ以下である、請求項１乃至３のいずれかに記載の歯ブラシ。
【請求項５】
前記繊維群ユニットは、１００００本以上の繊維が一様に植え付けられて構成される、請求項１乃至３のいずれかに記載の歯ブラシ。
【請求項６】
前記繊維群ユニットは、２００００本以上の繊維が一様に植え付けられて構成される、請求項１乃至３のいずれかに記載の歯ブラシ。
【請求項７】
ナノサイズの粒径の複数の白金ナノ粒子が、前記複数の繊維中に含有されている、請求項１乃至３のいずれかに記載の歯ブラシ。
【請求項８】
ナノサイズの粒径の複数の白金ナノ粒子が、前記複数の繊維の表面に付着されている、請求項１乃至３のいずれかに記載の歯ブラシ。
【請求項９】
ナノサイズの粒径の複数の白金ナノ粒子が、前記複数の繊維中に含有されていると共に、その複数の繊維の表面にナノサイズの粒径の複数の白金ナノ粒子が付着されている、請求項７又は８に記載の歯ブラシ。
【請求項１０】
前記歯ブラシは、前記ヘッド部と前記ハンドル部とが、ネック部により連続的に接続されて構成される、請求項１又は２に記載の歯ブラシ。
【請求項１１】
請求項１又は２に記載の歯ブラシにおいて、
前記歯ブラシは、
歯ブラシ本体が、ハンドル部と、先端に配置されたヘッド部と連続的に接続されたネック部とが、各々の結合端部において着脱可能に結合されてなる電動歯ブラシであって、
前記ハンドル部は、バッテリーを内蔵し、駆動軸が前記結合端部から前記歯ブラシ本体の先端方向へ突出しており、
前記ネック部は、その内部に前記駆動軸を嵌合させる空洞を有しており、
該ネック部と該ハンドル部とを、該駆動軸を該ネック部の該空洞に嵌合させて結合させ、
該空洞に嵌合させた該駆動軸が、前記ヘッド部を振動及び／又は回転させ得る電動歯ブラシ。
【請求項１２】
ナノサイズの粒径の白金ナノ粒子が付着された繊維を植毛した歯ブラシの製造方法であって、
上面と下面を有し、そのヘッド部がハンドル部と接続されている歯ブラシ本体を準備するステップと、
ナノサイズの粒径の白金ナノ粒子が１リットルの水に溶け込んだ白金ナノ粒子水溶液の原液又はこの白金ナノ粒子水溶液の原液を所定の倍数の容量の水で希釈化して成る希釈化された白金ナノ粒子水溶液(以下、前記白金ナノ粒子水溶液の原液と前記希釈化された白金ナノ粒子水溶液を総称して、「白金ナノ粒子水溶液」という)を準備するステップと、
歯ブラシの毛の材料となる樹脂材料を準備するステップと、
前記歯ブラシの毛の材料となる樹脂材料を溶融し、一本の糸状の細線を所定の長さ分だけ引っ張って固形化処理を行い、固形化された糸状の細線を所定の本数に切断するステップと、
前記歯ブラシ本体のヘッド部上面の各穴に、切断された複数本の糸状の繊維を、一様に植え付けるステップと、
前記ヘッド部上面に植え付けた前記繊維を、前記白金ナノ粒子水溶液に浸漬するステップと、
を備える、歯ブラシの製造方法。
【請求項１３】
ナノサイズの粒径の白金ナノ粒子が含有された繊維を植毛した歯ブラシの製造方法であって、
上面と下面を有し、そのヘッド部がハンドル部と接続されている歯ブラシ本体を準備するステップと、
白金ナノ粒子水溶液を準備するステップと、
所定のセラミック・パウダーを準備するステップと、
プラスチック樹脂を準備するステップと、
歯ブラシの毛の材料となる樹脂材料を準備するステップと、
前記セラミック・パウダーを前記白金ナノ粒子水溶液に均一に混合させて乾燥させた白金ナノ粒子混合セラミック・パウダーを生成するステップと、
前記白金ナノ粒子混合セラミック・パウダーと前記プラスチック樹脂とを溶融混合させてスラリー化した白金ナノ粒子含有プラスチック樹脂を生成するステップと、
前記白金ナノ粒子含有プラスチック樹脂を成型器に入れて冷却し、固形化した該白金ナノ粒子含有プラスチック樹脂を切断してペレット状の白金ナノ粒子含有マスターバッチを生成するステップと、
前記歯ブラシの毛の材料となる樹脂材料と前記白金ナノ粒子含有マスターバッチとを溶融し、一本の糸状の細線を所定の長さ分だけ引っ張って固形化処理を行い、固形化された糸状の細線を所定の本数に切断するステップと、
前記歯ブラシ本体のヘッド部又は繊維床の上面の各穴に、切断された複数本の糸状の前記細線を前記繊維として、一様に植え付けるステップと、
を備えたことを特徴とする、歯ブラシの製造方法。
【発明の詳細な説明】
【技術分野】
【０００１】
本発明は、歯周病菌等に対する抗菌化作用等を有する白金ナノ粒子を含む歯ブラシとその製造方法に関する。
【背景技術】
【０００２】
多種多様な細菌より成る歯周病菌が、自ら作ったネバネバした状態のバイオフィルムの中に共存している状態のものが、歯垢又はプラークと呼ばれるものである。【０００３】
歯周病の一般的な予防法としては、チューブより押し出した練歯磨剤を歯ブラシに付けて、当該歯ブラシを用いて歯を念入りにブラッシングすることで、練歯磨剤中に含有される酵素によってバイオフィルムを破壊して、各種の細菌（歯周病菌）を裸状態とする。この状態で、歯周病菌を水で流し出すことになる。しかし、単に水を口腔中に含んでその水をブラッシングで使用した練歯磨剤と共に吐き出すだけでは、歯周病菌を撃退することは難しい。【０００４】
このような問題を解決するため、種々の考案がなされているが、特許文献１は、図６に示すように、「ヘッド部１０２を有する歯ブラシ本体と、ヘッド部１０２にその各々が植え付けられている複数の繊維束１０５とを備えており、複数の繊維束１０５の各々に束ねられている各繊維１０６は、複数の白金ナノ粒子を備える歯ブラシ１０１」を開示しており、口腔内の歯周病菌を確実に歯磨きのブラッシング動作において殺すことが出来る歯ブラシを提供している。【０００５】
特許文献１の歯ブラシによれば、その繊維束１０５の全体に対して、例えばペースト状の練歯磨剤を塗布してブラッシングを行うと、各繊維１０６の毛先と歯及び歯茎との摩擦によって歯と歯との隙間或いは歯茎等に存在する歯垢ないしはプラークが損傷ないしは破壊される。歯垢の破壊等により口腔内に現出した歯周病菌は、各繊維１０６に含まれる個々の白金ナノ粒子との接触によって、白金ナノ粒子により確実に殺傷される。その結果、歯ブラシ１０１は、歯肉炎又は歯周病の発生及び嫌な口臭の発生を確実に予防することが出来る。【０００６】
練歯磨剤は、歯周病やプラークの原因となる各種の細菌を殺菌し、増殖を抑制するとともに、口臭を除去・防止するために、歯磨きに使用されることが多いが、乳幼児やお年寄り等は練歯磨剤をうまく吐き出せずに、飲み込んでしまうことも多い。また、練歯磨剤は使用後水で吐き出す必要が出てくるため、自然災害によって水が利用できない環境においては、歯磨きを行うことが難しくなる。従って、練歯磨剤を用いなくても、歯ブラシのブラッシングのみで歯周病やプラークの原因となる各種の細菌を確実に殺菌し、増殖を抑制するとともに、口臭を除去・防止できる歯ブラシが求められている。【０００７】
また、高齢化社会を迎える中で、介護施設により介護を受ける人の数が増加してきている。介護施設に入所している入所者の中には、自ら歯磨きを行うことができない入所者も多く、そのような入所者は介護士が歯磨きを行うことになる。介護士による歯磨きにおいては、電動で歯磨きを行える電動歯ブラシを使用するのが使い勝手がよいが、電動歯ブラシの各繊維に白金ナノ粒子を備えたものは未だ存在していない。特に介護施設においては、練歯磨剤をうまく吐き出せない入所者も多いことから、練歯磨剤を用いなくても歯周病やプラークの原因となる各種の細菌を確実に殺菌し、増殖を抑制するとともに、口臭を除去・防止できる電動歯ブラシが求められている。【０００８】
【特許文献１】特開２０１４−８３０６６号公報
【発明の概要】
【発明が解決しようとする課題】
【０００９】
本発明は、上記特許文献１の歯ブラシを改良し、各繊維３を極細にして歯及び歯茎に対して一様、均等に押圧可能とし、練歯磨剤を用いなくても白金ナノ粒子により歯周病菌をより確実に殺傷できるようにした歯ブラシを提供する。
【課題を解決するための手段】
【００１０】
本発明に係る歯ブラシは、ヘッド部及びこれと接続されたハンドル部を備え上面と下面を有する歯ブラシ本体の、該ヘッド部の上面に、直径０．１ｍｍ未満の複数の繊維が一様に植え付けられて群を成す繊維群ユニットを具備する歯ブラシであって、前記繊維群ユニットを構成する各々の繊維は、ナノサイズの粒径の複数の白金ナノ粒子を備えることを特徴とする。【００１１】
なお、本明細書において、繊維群ユニットを構成する各々の繊維がナノサイズの粒径の複数の「白金ナノ粒子を備える」とは、（１）この各々の繊維がその繊維中に複数の「白金ナノ粒子を含有」する場合、（２）この各々の繊維がその表面に複数の「白金ナノ粒子を付着」させる場合、（３）繊維中に複数の「白金ナノ粒子を含有」する各々の繊維が、その表面に複数の「白金ナノ粒子を付着」させる場合、の何れをも含むものとする。【００１２】
本発明に係る歯ブラシは、ヘッド部及びこれと接続されたハンドル部を備え、上面と下面を有する歯ブラシ本体と、上面と下面を有する繊維床の該上面に、直径０．１ｍｍ未満の複数の繊維が一様に植え付けられて構成される繊維群ユニットと、を備え、前記ヘッド部の上面に、前記繊維群ユニットを構成する前記繊維床の下面が接着された歯ブラシであって、前記繊維群ユニットを構成する各々の繊維は、ナノサイズの粒径の複数の白金ナノ粒子を備えることを特徴とする。【００１３】
本発明に係る歯ブラシは、ヘッド部及びこれと接続されたハンドル部を備え、上面と下面を有する歯ブラシ本体と、前記ヘッド部の上面に、直径０．１ｍｍ未満の複数の繊維が一様に植え付けられて構成される繊維群ユニットと、を備え、
前記繊維群ユニットを構成する複数の繊維は、それぞれナノサイズの粒径の複数の白金ナノ粒子を備えることを特徴とする。【００１４】
本発明に係る歯ブラシは、前記繊維群ユニットを構成する前記繊維の直径が０．０８ｍｍ以下であってよい。【００１５】
本発明に係る歯ブラシにおいて、前記繊維群ユニットは、１００００本以上の繊維が一様に植え付けられて構成されるのが好ましい。【００１６】
本発明に係る歯ブラシにおいて、前記繊維群ユニットは、２００００本以上の繊維が一様に植え付けられて構成されてもよい。【００１７】
本発明に係る歯ブラシは、ナノサイズの粒径の複数の白金ナノ粒子が、前記複数の繊維中に含有され得る。【００１８】
あるいは、本発明に係る歯ブラシは、ナノサイズの粒径の複数の白金ナノ粒子が、前記複数の繊維の表面に付着されていてもよい。【００１９】
または、本発明に係る歯ブラシは、ナノサイズの粒径の複数の白金ナノ粒子が、前記複数の繊維中に含有されていると共に、その複数の繊維の表面にナノサイズの粒径の複数の白金ナノ粒子が付着されていてもよい。【００２０】
本発明に係る歯ブラシは、前記ヘッド部と前記ハンドル部とが、ネック部により連続的に接続されて構成されていてもよい。【００２１】
本発明に係る歯ブラシは、歯ブラシ本体が、ハンドル部と、先端に配置されたヘッド部と連続的に接続されたネック部とが、各々の結合端部において着脱可能に結合されてなる電動歯ブラシであって、
前記ハンドル部は、バッテリーを内蔵し、駆動軸が前記結合端部から前記歯ブラシ本体の先端方向へ突出しており、
前記ネック部は、その内部に前記駆動軸を嵌合させる空洞を有しており、
該ネック部と該ハンドル部とを、該駆動軸を該ネック部の該空洞に嵌合させて結合させ、
該空洞に嵌合させた該駆動軸が、前記ヘッド部を振動及び／又は回転させ得る電動歯ブラシであってもよい。【００２２】
本発明に係る歯ブラシの製造方法は、ナノサイズの粒径の白金ナノ粒子が付着された繊維を植毛した歯ブラシの製造方法であって、
上面と下面を有し、そのヘッド部がハンドル部と接続されている歯ブラシ本体を準備するステップと、
ナノサイズの粒径の白金ナノ粒子が１リットルの水に溶け込んだ白金ナノ粒子水溶液の原液又はこの白金ナノ粒子水溶液の原液を所定の倍数の容量の水で希釈化して成る希釈化された白金ナノ粒子水溶液(以下、前記白金ナノ粒子水溶液の原液と前記希釈化された白金ナノ粒子水溶液を総称して、「白金ナノ粒子水溶液」という)を準備するステップと、
歯ブラシの毛の材料となる樹脂材料を準備するステップと、
前記歯ブラシの毛の材料となる樹脂材料を溶融し、一本の糸状の細線を所定の長さ分だけ引っ張って固形化処理を行い、固形化された糸状の細線を所定の本数に切断するステップと、
前記歯ブラシ本体のヘッド部上面の各穴に、切断された複数本の糸状の繊維を、一様に植え付けるステップと、
前記ヘッド部上面に植え付けた前記繊維を、前記白金ナノ粒子水溶液に浸漬するステップと、を備える、【００２３】
本発明に係る歯ブラシの製造方法は、ナノサイズの粒径の白金ナノ粒子が含有された繊維を植毛した歯ブラシの製造方法であって、
上面と下面を有し、そのヘッド部がハンドル部と接続されている歯ブラシ本体を準備するステップと、
白金ナノ粒子水溶液を準備するステップと、
所定のセラミック・パウダーを準備するステップと、
プラスチック樹脂を準備するステップと、
歯ブラシの毛の材料となる樹脂材料を準備するステップと、
前記セラミック・パウダーを前記白金ナノ粒子水溶液に均一に混合させて乾燥させた白金ナノ粒子混合セラミック・パウダーを生成するステップと、
前記白金ナノ粒子混合セラミック・パウダーと前記プラスチック樹脂とを溶融混合させてスラリー化した白金ナノ粒子含有プラスチック樹脂を生成するステップと、
前記白金ナノ粒子含有プラスチック樹脂を成型器に入れて冷却し、固形化した該白金ナノ粒子含有プラスチック樹脂を切断してペレット状の白金ナノ粒子含有マスターバッチを生成するステップと、
前記歯ブラシの毛の材料となる樹脂材料と前記白金ナノ粒子含有マスターバッチとを溶融し、一本の糸状の細線を所定の長さ分だけ引っ張って固形化処理を行い、固形化された糸状の細線を所定の本数に切断するステップと、
前記歯ブラシ本体のヘッド部又は繊維床の上面の各穴に、切断された複数本の糸状の前記細線を前記繊維として、一様に植え付けるステップと、
を備えたことを特徴とする。
【発明の効果】
【００２４】
本発明に係る白金ナノ粒子を含む歯ブラシは、歯磨きに際して練歯磨剤を用いなくても、繊維群ユニットに白金ナノ粒子を備えた本歯ブラシを用いて歯等をブラッシングすることで、その中に歯周病菌（細菌）が生息している歯垢（プラーク）が破られて口腔内に現出することになった歯周病菌が、繊維群ユニットを構成する各繊維中に含まれている白金ナノ粒子によって、その抗菌性能により、確実に殺傷される。その結果、本歯ブラシを用いることで、歯肉炎或いは歯周病の発生及び嫌な口臭の発生の予防を確実に図ることが出来る。【００２５】
本発明の歯ブラシは、繊維群ユニットを白金ナノ粒子水溶液に浸漬して、繊維群ユニットを構成する各繊維の表面に白金ナノ粒子を付着させるだけで、上記効果を十分に発揮する。また、本発明の歯ブラシは、歯ブラシ本体を白金ナノ粒子水溶液に浸漬することにより、ヘッド部、ネック部及びハンドル部にも白金ナノ粒子を付着させることができるため、白金ナノ粒子による抗菌性能により、歯ブラシ全体を清潔に保つことができる。【００２６】
あるいは、本発明の歯ブラシの別の形態において、白金ナノ粒子を、各繊維を形成する材料の表面だけでなくその内部まで、略均一に白金ナノ粒子を拡散させることもできる。この場合、当該歯ブラシを長年使用して表面が傷ついたり劣化したりしても、抗菌、抗ウィルス効果、消臭効果等が減退せず、白金ナノ粒子が有するこれらの効果を永続させることができる。【００２７】
このような白金ナノ粒子を備える各繊維は、本発明の歯ブラシにおいては、そのヘッド部又は繊維床に一様に植え付けられており、従来の複数の繊維束が植え付けられた構成の歯ブラシと異なり、歯磨き時に満遍なく一様、均等に歯及び歯茎に押圧される。各繊維の直径は、０．１ｍｍ未満の極細としたので、より多くの白金ナノ粒子を提供し、効果的に歯周病菌を殺傷することができる。【００２８】
また、本発明の歯ブラシは、各繊維の直径を０．１ｍｍ未満の極細の繊維としたため、各繊維は柔らかく、ブラッシングで歯及び歯茎を傷めることがない。また、歯ブラシは使用していくうちに毛先が開いていく。毛先が開いた歯ブラシによるブラッシングは、汚れを落とす効果が小さくなるため歯ブラシを交換する必要が生じるが、本発明の歯ブラシは繊維が柔らかいため、毛先が開くのを抑制することができる。従って、歯ブラシの交換頻度を減少させることができる。
【図面の簡単な説明】
【００２９】
【図１】本発明に係る白金ナノ粒子を含む歯ブラシの、それぞれ（ａ）斜視図、（ｂ）平面図、（ｃ）側面図。
【図２】本発明に係る歯ブラシを構成する繊維群ユニットの、それぞれ（ａ）側面図、（ｂ）平面図。
【図３】本発明に係る白金ナノ粒子を含む歯ブラシにおける各繊維の模式図。
【図４】本発明に係る白金ナノ粒子を含む電動歯ブラシを着脱した状態を示す、それぞれ（ａ）平面図、（ｂ）側面図。
【図５】黄色ブドウ球菌に対する抗菌性能試験の結果図。
【図６】従来の特許文献１に係る歯ブラシの構成を模式的に示す側面図。
【図７】本発明の実施形態１に係る歯ブラシの製造方法のフロー図。
【図８】本発明の実施形態２に係る歯ブラシの製造方法のフロー図。
【図９】白金ナノ粒子混合セラミック・パウダーの製造方法のフロー図。
【図１０】（ａ）本発明に係る白金ナノ粒子を含む歯ブラシのヘッド部の下面に、舌ブラシを備えた状態を示す底面図及び側面図、（ｂ）本発明に係る白金ナノ粒子を含む電動歯ブラシのヘッド部の下面に、舌ブラシを備えた状態を示す底面図及び側面図。
【発明を実施するための形態】
【００３０】
以下、図面を参照しながら本発明に係る白金ナノ粒子とその製造方法およびこれを用いた歯ブラシの実施形態について説明する。なお、以下各図面を通して同一の構成要素には同一の符号を使用するものとする。
【００３１】
図１（ｂ）、（ｃ）に、本発明に係る白金ナノ粒子を備える歯ブラシ１の夫々平面図と側面図を示す。このような本発明に係る歯ブラシ１は、ヘッド部２２及びこれと接続されたハンドル部２４を備え、上面と下面を有する歯ブラシ本体２０のヘッド部２２の上面に、直径０．１ｍｍ未満の複数の繊維が一様に植え付けられて群を成す繊維群ユニット１０を具備する歯ブラシである。そして、本発明の歯ブラシ１は、繊維群ユニット１０を構成する複数の繊維３が、図３のように、それぞれナノサイズの粒径の複数の白金ナノ粒子を備えることを特徴とする。
【００３２】
なお、本明細書において、「歯ブラシ」には手動式の歯ブラシの他、電気の力でブラシ（ヘッド部）を動かす電動歯ブラシを含むものとする。また、本明細書において「白金ナノ粒子」とは、その粒径がナノサイズ（平均粒径が１〜１０ｎｍ）の白金のコロイド粒子をいう。また、ヘッド部２２及びこれと接続されたハンドル部２４を備える歯ブラシ本体２０は、図１（ａ）のように、ヘッド部２２とハンドル部２４とがネック部２６により接続されて構成されてよく、例えば合成樹脂（ゴム部分を有していても良い。）から形成され、その色は任意であってよい。
【００３３】
以下、本発明を実施形態、実施例によって更に詳細に説明するが、本発明は以下の記載に何ら限定して解釈されるものではない。
１．白金ナノ粒子を備える歯ブラシの実施形態
【００３４】
（１−１）本発明に係る歯ブラシの実施形態１
実施形態１に係る歯ブラシ１は、図１（ａ）に示すように、そのヘッド部２２がハンドル部２４とネック部２６により接続されて構成され、上面と下面を有する歯ブラシ本体２０と、上面と下面を有する繊維床５の当該上面に、直径０．１ｍｍ未満の複数の繊維３が一様に植え付けられて構成される繊維群ユニット１０とを備える。
【００３５】
本発明に係る歯ブラシ１は、ヘッド部２２の上面に、繊維群ユニット１０を構成する繊維床５の下面が接着されて形成され、繊維群ユニット１０を構成する複数の繊維３が、図３のように、それぞれナノサイズの粒径の複数の白金ナノ粒子を備えることを特徴とする。
【００３６】
図２（ａ）、（ｂ）のように、繊維床５の上面に一様に植え付けられて繊維群ユニット１０を構成する繊維３は、例えばナイロンなどで形成されるが、その材料は特に限定されない。また、繊維３の直径は、直径０．１ｍｍ未満が望ましいが、０．０８ｍｍ以下が更に好ましい。より好ましくは０．０３ｍｍ以上０．１ｍｍ未満が好ましく、０．０３ｍｍ以上０．０８ｍｍ以下がさらに好ましい。繊維３の直径を０．０３ｍｍ未満とすると、繊維が柔らかくなりすぎるため、歯をブラッシングし難くなる。一方、繊維の直径を０．１ｍｍ以上とすると、繊維が硬くなるためブラッシングで毛先が開くのが早くなる。また、繊維群ユニット１０は、複数の繊維３が一様に植え付けられて構成されており、各繊維が密に隙間なく揃っているため、繊維が硬いと歯及び歯茎を傷める可能性がでてくる。
【００３７】
繊維床５の素材は繊維３を植え付けることができるものであれば特に制限されないが、繊維３と繊維床５とを熱融着させることが可能なナイロンやポリエステル等の熱可塑性合成樹脂が好ましい。
【００３８】
繊維群ユニット１０は、図１（ａ）、図２（ａ）のように、繊維床５の上面に、１００００本以上の繊維３が一様に植え付けられて構成されるのが望ましいが、２００００本以上の繊維３が一様に植え付けられて構成されるのが更に好ましい。
【００３９】
繊維群ユニット１０は、上記のような極細の繊維３が一様に１００００本以上植え付けられて構成されるので、従来の図６のような数本の繊維１０６から構成される繊維束が複数ヘッド部に植え付けられた歯ブラシに比べて、ヘッド部２２上面に形成された歯ブラシ１の毛並が密に隙間なく揃って、歯磨き時に繊維３が満遍なく一様、均等に歯及び歯茎に押圧される。
【００４０】
また、繊維群ユニット１０は、繊維床５の上面に、１平方センチメートル（ｃｍ２）当たり５０００本から２５０００本の繊維３が一様に植え付けられて構成されるのが望ましく、１平方センチメートル（ｃｍ２）当たり１００００本から２００００本の繊維３が一様に植え付けられて構成されるのがさらに好ましい。１平方センチメートル（ｃｍ２）当たりの繊維３が５０００本より少ないと、毛並が密に隙間なく揃わず、歯磨き時に繊維３が満遍なく一様、均等に歯及び歯茎を押圧することができない。また、１平方センチメートル（ｃｍ２）当たりの繊維３を２５０００本より多くすると、繊維３の直径を細くしなければならないため、繊維が柔らかくなりすぎて、歯を磨きにくくなる。
【００４１】
本発明の歯ブラシ１は、白金ナノ粒子を備えた繊維３が密に隙間なく揃っていることから、繊維３が備える白金ナノ粒子は従来の図６の歯ブラシとは格段に多くなるため、効果的に歯周病菌を殺傷することができる。なお、繊維３が単に密に隙間なく揃っている、白金ナノ粒子を備えていない歯ブラシにおいては、ブラッシングにより食べかす等が歯ブラシの繊維３の中に挟まって取れなくなり、腐敗臭を生じることとなる。しかしながら、本発明の歯ブラシ１は多数の白金ナノ粒子を備えているため、白金ナノ粒子の抗菌作用により菌の増殖を抑制することができ、腐敗臭を生じさせないようにすることができる。
【００４２】
本発明に係る白金ナノ粒子を備える歯ブラシ１において、繊維群ユニット１０を構成する繊維３は、図３のようにナノサイズの粒径の複数の白金ナノ粒子７を備えているが、この複数の白金ナノ粒子７は、各々の繊維３中に含有されていてもよいし、各々の繊維３の表面に付着されていてもよい。いずれの形態においても抗菌、抗ウィルス効果、消臭効果等を発揮するが、各繊維３を形成する材料の内部まで白金ナノ粒子７を拡散させれば、当該歯ブラシ１を長年使用して表面が傷ついたり劣化したりしても、抗菌、抗ウィルス等の効果が減退せず、白金ナノ粒子７が有するこれらの効果を永続させることができる。
【００４３】
（１−２）本発明に係る歯ブラシの実施形態２
あるいは、本発明の歯ブラシ１は、そのヘッド部２２がハンドル部２４と接続され、上面と下面を有する歯ブラシ本体２０と、ヘッド部２２の上面に、直径０．１ｍｍ未満の複数の繊維３が一様に植え付けられて構成される繊維群ユニット１０と、を備えてもよい。そして、実施形態２に係る歯ブラシ１は、実施形態１と同様に、この複数の繊維３が、ナノサイズの粒径の複数の白金ナノ粒子７を備える。
【００４４】
以上のように、白金ナノ粒子７を備える各繊維３は、本発明の何れの形態の歯ブラシ１においても、そのヘッド部２２又は繊維床５に一様、均等に植え付けられており、従来の複数の繊維束が植え付けられた構成の歯ブラシと異なり、歯磨き時に満遍なく一様、均等に歯及び歯茎に押圧される。各繊維３の直径は、０．１ｍｍ未満の極細としたので、より多くの繊維３が白金ナノ粒子を提供し、効果的に歯周病菌を殺傷することができる。
【００４５】
（１−３）本発明に係る歯ブラシの実施形態３
本発明の歯ブラシ１が電動歯ブラシの場合は、例えば、そのヘッド部２２がハンドル部２４とネック部２６により接続されて構成され、ヘッド部を振動・回転させる駆動軸が備えられている。電動歯ブラシにおいては、図４に示すように、上面と下面を有する歯ブラシ本体２０はヘッド部２２とハンドル部２４とを着脱可能とすることができ、ハンドル部２４にブラシ（ヘッド部２２）を振動・回転させる駆動軸及びバッテリーを有する。
【００４６】
本発明に係る歯ブラシ１は、図４のように、歯ブラシ本体が、ハンドル部２４と、先端に配置されたヘッド部２２と連続的に接続されたネック部２６とが、各々の結合端部において着脱可能に結合されてなる電動歯ブラシ１であってもよい。本実施形態の電動歯ブラシ１において、ハンドル部２４は、バッテリーを内蔵し、駆動軸２８が結合端部から歯ブラシ本体２０の先端方向へ突出しており、ネック部２６は、その内部に前記駆動軸２８を嵌合させる空洞を有している。そして、ネック部２６とハンドル部２４とを、駆動軸２８をネック部２６の該空洞に嵌合させて結合させることができる。このような本発明の電動歯ブラシ１は、空洞に嵌合させた駆動軸２８が振動及び／又は回転し、ヘッド部に動作を伝搬させることにより、ヘッド部を振動及び／又は回転させることができる。
【００４７】
本実施形態に係る電動歯ブラシ１においても、上面と下面を有する繊維床５の当該上面に、直径０．１ｍｍ未満の複数の繊維３が一様に植え付けられて構成される繊維群ユニット１０を備える。そして、本実施形態に係る電動歯ブラシは、ヘッド部２２の上面に、繊維群ユニット１０を構成する繊維床５の下面が接着されて形成され、繊維群ユニット１０を構成する複数の繊維３が、実施形態１に係る歯ブラシ１と同様に、それぞれナノサイズの粒径の複数の白金ナノ粒子を備える。
【００４８】
あるいは、本実施形態の電動歯ブラシ１は、そのヘッド部２２の上面に、直径０．１ｍｍ未満の複数の繊維３が一様に植え付けられて構成される繊維群ユニット１０を備えてもよく、繊維群ユニット１０を構成する複数の繊維３が、それぞれナノサイズの粒径の複数の白金ナノ粒子を備えてもよい。
【００４９】
本実施形態の電動歯ブラシ１においても、繊維群ユニット１０は、１００００本以上の繊維３が一様に植え付けられて構成されるのが望ましいが、２００００本以上の繊維３が一様に植え付けられて構成されるのが更に好ましい。また、繊維群ユニット１０は、繊維床５の上面に、１平方センチメートル（ｃｍ２）当たり５０００本から２５０００本の繊維３が一様に植え付けられて構成されるのが望ましく、１平方センチメートル（ｃｍ２）当たり１００００本から２００００本の繊維３が一様に植え付けられて構成されるのがさらに好ましい。
【００５０】
本実施形態の電動歯ブラシ１において、駆動方式及びバッテリー方式においては、電動歯ブラシの分野で通常用いられている駆動方式及びバッテリー方式を用いることができる。駆動方式としては、音波振動式、超音波振動式、回転式等が挙げられるが、特に制限されずいずれの駆動方式であっても好適に用いることができる。また、バッテリー方式も特に制限されず、充電式、電池式、給電式等いずれも好適に用いることができる。
【００５１】
（１−４）本発明に係る歯ブラシの実施形態４
本発明の電動歯ブラシ１は、電動歯ブラシのヘッド部２２のみ、あるいは電動歯ブラシのヘッド部２２とネック部２６のみの形態であってもよく、電動歯ブラシのヘッド部２２のみ、あるいは電動歯ブラシのヘッド部２２とネック部２６のみの形態も、本発明の電動歯ブラシ１に含まれる。
【００５２】
本発明の電動歯ブラシ１が電動歯ブラシのヘッド部２２のみ、あるいはヘッド部２２とネック部２６のみである場合も、上面と下面を有する繊維床５の当該上面に、直径０．１ｍｍ未満の複数の繊維３が一様に植え付けられて構成される繊維群ユニット１０を備え、繊維群ユニット１０を構成する繊維床５の下面がヘッド部の上面に接着されて形成される。あるいは、ヘッド部２２の上面に、直径０．１ｍｍ未満の複数の繊維３が一様に植え付けられて構成される繊維群ユニット１０を備えてもよい。そして、繊維群ユニット１０を構成する複数の繊維３が、それぞれナノサイズの粒径の複数の白金ナノ粒子を備える。
【００５３】
（１−５）本発明に係る歯ブラシの実施形態５
本実施形態の歯ブラシ１においては、ヘッド部２２の下面に舌の汚れを除去するための舌ブラシ５０を備えてもよい。図１０（ａ）は、舌ブラシ５０を備えた歯ブラシ１の底面図と側面図を示すものであり、歯ブラシ１のヘッド部２２の下面に舌ブラシ５０を備える。また、図１０（ｂ）は、舌ブラシ５０を備えた電動歯ブラシ１の底面図と側面図示すものであり、電動歯ブラシ１のヘッド部２２の下面に舌ブラシ５０を備える。舌ブラシ５０は、白金ナノ粒子水溶液に浸漬して、白金ナノ粒子を付着さることが好ましい。実施形態５に係る歯ブラシ１は、舌ブラシ５０を備えること以外は、実施形態１と同様の構成を備え、複数の繊維３が、ナノサイズの粒径の複数の白金ナノ粒子７を備える。また、実施形態５に係る電動歯ブラシ１は、舌ブラシ５０を備えること以外は、実施形態３と同様の構成を備え、複数の繊維３が、ナノサイズの粒径の複数の白金ナノ粒子７を備える。
【００５４】
以上のように、白金ナノ粒子７を備える各繊維３は、本発明の何れの形態の歯ブラシ１においても、そのヘッド部２２又は繊維床５に一様、均等に植え付けられており、従来の複数の繊維束が植え付けられた構成の歯ブラシと異なり、歯磨き時に満遍なく一様、均等に歯及び歯茎に押圧される。各繊維３の直径は、０．１ｍｍ未満の極細としたので、より多くの繊維３が白金ナノ粒子を提供し、効果的に歯周病菌を殺傷することができる。
２．本発明に係る白金ナノ粒子を備える歯ブラシの製造方法
（２−１）本発明の歯ブラシ１の製造方法の実施形態１
【００５５】
上述した本発明に係る白金ナノ粒子を備える歯ブラシ１の製造方法について、以下説明する。
【００５６】
本発明に係る歯ブラシ１の製造方法は、ナノサイズの粒径の白金ナノ粒子７が付着された繊維３を植毛した歯ブラシの製造方法であって、
（１）上面と下面を有し、そのヘッド部２２がハンドル部２４と接続されている歯ブラシ本体２０を準備するステップ
（２）ナノサイズの粒径の白金ナノ粒子７が１リットルの水に溶け込んだ白金ナノ粒子水溶液の原液又はこの白金ナノ粒子水溶液の原液を所定の倍数の容量の水で希釈化して成る希釈化された白金ナノ粒子水溶液(以下、上記白金ナノ粒子水溶液の原液と上記希釈化された白金ナノ粒子水溶液を総称して、「白金ナノ粒子水溶液」という)を準備するステップ
（３）歯ブラシ１の毛の材料となる樹脂材料を準備するステップ
（４）上記樹脂材料を溶融し、一本の糸状の細線を所定の長さ分だけ引っ張って固形化処理を行い、固形化された糸状の細線を所定の本数に切断するステップ
（５）歯ブラシ本体２０のヘッド部２２又は繊維床５の上面の各穴に、切断された複数本の上記糸状の細線を繊維３として一様に植え付け、繊維群ユニット１０を形成するステップ
（６）繊維群ユニット１０を、上記白金ナノ粒子水溶液に浸漬するステップ
を備える。
【００５７】
上記ステップ（２）において「白金ナノ粒子」とは、その粒径がナノサイズ（平均粒径が１〜１０ｎｍ）の白金のコロイド粒子をいい、これを溶液中に含む「白金ナノ粒子水溶液」を、下記実施例１のようにして調製することができる。この白金ナノ粒子水溶液は、「白金ナノ粒子」自体の性能と同様に、様々なウィルス及び細菌に対する極めて高い殺傷能力を長期間に亘って安定的に持続することができ、「抗ウィルス」、「抗菌」及び「消臭」などの性能を持つ。この白金ナノ粒子水溶液の上記性能（「抗ウィルス性能」、「抗菌性能」及び「消臭性能」）は、信頼し得る試験測定機関に於ける厳密な測定結果により既に実証された公知事実である。
【００５８】
また、歯ブラシの毛の材料となる樹脂材料は、一般に、ナイロンやポリプロピレンの樹脂である。そこで、ステップ（３）では上記ナイロン等の樹脂材料を準備し、ステップ（４）で固形化された糸状の細線に加工する。そして、ステップ（５）で、この糸状の細線を繊維３として繊維床５等の上面の各穴に一様に植え付け、繊維群ユニット１０を得る。
【００５９】
最後に、上記ステップ（６）において、上記工程により調製した白金ナノ粒子水溶液に、ヘッド部２２や繊維床５の上面に植え付けた繊維３、すなわち繊維群ユニット１０を浸漬する。この浸漬は、繊維群ユニット１０を白金ナノ粒子水溶液へ数秒漬けるだけでもよい。
【００６０】
また、繊維群ユニット１０だけではなく、ヘッド部２２やハンドル部２４若しくは歯ブラシ本体２０を上記工程により調製した白金ナノ粒子水溶液に浸漬してもよい。この浸漬は、繊維群ユニット１０と同様白金ナノ粒子水溶液へ数秒漬けるだけでよく、浸漬後は自然乾燥させればよい。ヘッド部２２やハンドル部２４若しくは歯ブラシ本体２０にも白金ナノ粒子を付着させることで、白金ナノ粒子の抗菌性能により歯ブラシ全体を清潔に保つことができる。
【００６１】
以上のように、本発明に係る歯ブラシ１は、繊維群ユニット１０を白金ナノ粒子水溶液に浸漬して、繊維群ユニット１０を構成する各繊維３の表面に白金ナノ粒子７を付着させるだけで、抗菌、抗ウィルス効果、消臭効果等の効果を十分に発揮する。
（２−１−１）白金ナノ粒子水溶液の製造方法
［白金ナノ粒子水溶液］
【００６２】
上記ステップ（２）における白金ナノ粒子水溶液を、以下の実施例１のようにして製造した。
【実施例１】
【００６３】
（工程）白金ナノ粒子水溶液の調製
０．２０８ｇの塩化白金酸カリウム（Ｋ２ＰｔＣｌ４）を５０ｍＬの純水に溶解して０．０１ｍｏｌ／Ｌ（Ｐｔ（０）として０．０５０ｇ／Ｌ）の塩化白金酸カリウム水溶液を調製した。また、別途、０．１２９ｇのクエン酸ナトリウムを５０ｍＬの純水に溶解して０．０１ｍｏｌ／Ｌ（０．０６６ｇ／ｍＬ）のクエン酸ナトリウム水溶液を、０．８８１ｇのアスコルビン酸を５０ｍＬの純水に溶解して０．１ｍｏｌ／Ｌ（０．４５２ｇ／Ｌ）のアスコルビン酸水溶液をそれぞれ調製した。上記の０．０１ｍｏｌ／Ｌ塩化白金酸カリウム水溶液５０ｍＬを１８００ｍＬの純水に加えた後、さらに０．０１ｍｏｌ／Ｌクエン酸ナトリウム水溶液５０ｍＬと０．１ｍｏｌ／Ｌアスコルビン酸水溶液５０ｍＬをそれぞれ加え、約５分間強く撹拌することで、平均粒径が４ｎｍの白金のコロイド状粒子（以下「白金ナノ粒子」と言う。）を含む溶液、すなわち上記ステップ（２）の白金ナノ粒子水溶液を得た。なお、平均粒径の測定は溶液を分散・乾固させて行った電界放出型走査電子顕微鏡測定による。【００６４】
上述のように、「白金ナノ粒子水溶液」とは、ナノサイズの粒径のナノサイズ（例えば４ｎｍ）の白金の粒子の粉を１リットルの水（精製水又は純水等）で溶解して成る水溶液である。この様な「白金ナノ粒子水溶液」は取引市場で販売されており、入手可能である。
（２−２）本発明の歯ブラシ１の製造方法の実施形態２【００６５】
本発明に係る歯ブラシ１は、実施形態１のように白金ナノ粒子７を各繊維３の表面に付着させるだけでなく、その内部まで略均一に白金ナノ粒子７を拡散させてもよい。【００６６】
このような歯ブラシ１の本実施形態の製造方法は、ナノサイズの粒径の白金ナノ粒子７が含有された繊維３を植毛した歯ブラシ１の製造方法であって、
（１１）ヘッド部２２及びこれと接続されたハンドル部２４を備え、上面と下面を有する歯ブラシ本体２０を準備するステップ
（１２）白金ナノ粒子水溶液を準備するステップ
（１３）所定のセラミック・パウダーを準備するステップ
（１４）プラスチック樹脂を準備するステップ
（１５）歯ブラシの毛の材料となる樹脂材料を準備するステップ
（１６）上記セラミック・パウダーを上記白金ナノ粒子水溶液に均一に混合させて乾燥させた白金ナノ粒子混合セラミック・パウダーを生成するステップ
（１７）上記白金ナノ粒子混合セラミック・パウダーと上記プラスチック樹脂とを溶融混合させてスラリー化した白金ナノ粒子含有プラスチック樹脂を生成するステップ
（１８）上記白金ナノ粒子含有プラスチック樹脂を成型器に入れて冷却し、固形化した該白金ナノ粒子含有プラスチック樹脂を切断してペレット状の白金ナノ粒子含有マスターバッチを生成するステップ
（１９）上記歯ブラシの毛の材料となる樹脂材料と上記白金ナノ粒子含有マスターバッチとを溶融し、一本の糸状の細線を所定の長さ分だけ引っ張って固形化処理を行い、固形化された糸状の細線を所定の本数に切断するステップ
（２０）上記歯ブラシ本体２０のヘッド部２２又は繊維床５の上面の各穴に、切断された複数本の糸状の細線を、繊維３として一様に植え付けるステップ
を備えたことを特徴とする。【００６７】
本実施形態の製造方法を用いれば、上述したように、歯ブラシ１を長年使用して表面が傷ついたり劣化したりしても、抗菌、抗ウィルス効果、消臭効果等が減退せず、白金ナノ粒子が有するこれらの効果を永続させることができる。【００６８】
ステップ（１３）において、セラミック・パウダーを準備するが、「パウダー」の材料はセラミックに限定されず、種々の金属や有機化合物など、自由に選択することができる。ただし、混合するナノサイズの粒径の白金ナノ粒子７を表面に付着させ易い材料が望ましい。また、上記ステップ（１６）において、白金ナノ粒子混合セラミック・パウダーは、ナノサイズの粒径の白金ナノ粒子７が、平均粒径０．１〜１０μｍのセラミック・パウダー中に混合拡散された粉体である。【００６９】
以下、実施例２でステップ（１６）の白金ナノ粒子混合セラミック・パウダーの製造方法を、実施例３でステップ（１７）のスラリー化した白金ナノ粒子含有プラスチック樹脂及びステップ（１８）のペレット状の白金ナノ粒子含有マスターバッチの製造方法を、それぞれ説明する。
（２−２−１）白金ナノ粒子混合セラミック・パウダーの製造方法
【実施例２】
【００７０】
上記実施例１の白金ナノ粒子水溶液を用いて、上記ステップ（１６）の白金ナノ粒子混合セラミック・パウダーを以下のようにして製造することができる。【００７１】
本発明に係る白金ナノ粒子混合セラミック・パウダーの製造方法は、
（３１）平均粒径が０．１〜１０μｍの粉体を準備するステップ
（３２）ナノサイズの粒径の白金ナノ粒子を含むコロイド溶液（白金ナノ粒子水溶液）を準備するステップ
（３３）前記粉体を前記白金ナノ粒子水溶液に均一に混合させてスラリー化した白金ナノ粒子混合スラリーを生成するステップ
（３４）前記白金ナノ粒子混合スラリーを乾燥させるステップ
を含む。【００７２】
ステップ（３１）は、歯ブラシ１の製造方法の本実施形態２における上記ステップ（１３）に相当し、ステップ（３２）は上記ステップ（１２）に相当する。【００７３】
本実施例２では、粉体として平均粒径が１〜１０μｍのセラミック・パウダーと、平均粒径が４ｎｍの白金ナノ粒子水溶液を用いた。この白金ナノ粒子溶液を、準備したセラミック・パウダーに混合させ、スラリー化した白金ナノ粒子混合セラミック・スラリーを生成し、これを乾燥させて白金ナノ粒子混合セラミック・パウダーを得た（上記ステップ（１６））。
（２−２−２）スラリー化した白金ナノ粒子含有プラスチック樹脂及びペレット状の白金ナノ粒子含有マスターバッチの製造方法【００７４】
歯ブラシ１の製造方法の本実施形態２の上記ステップ（１４）においてプラスチック樹脂を準備し、実施例２で上述のステップ（３１）〜（３４）（ステップ（１６））により得た白金ナノ粒子混合セラミック・パウダーと、このプラスチック樹脂とを高温で溶融混合させてスラリー化した白金ナノ粒子含有プラスチック樹脂を生成する（ステップ（１７））。【００７５】
プラスチック樹脂の種類は例えばＰＰ（ポリプロピレン）やＰＥ（ポリエチレン）、ナイロンなどの樹脂を選択するのが好ましい。最終的に製造する歯ブラシの毛の材料となる樹脂材料（ステップ（１５））と同一のプラスチック樹脂を適宜選択することが更に望ましい。【００７６】
このプラスチック樹脂と上記白金ナノ粒子混合セラミック・パウダーとの混合比は、９：１乃至５：５が好適である。白金ナノ粒子混合セラミック・パウダーの混合比を１０％以下とすると白金ナノ粒子の抗菌、抗ウイルス作用が十分でなくなり、５０％以上とするとプラスチック樹脂の特性が失われる。【００７７】
次に、ステップ（１８）で、高温において溶融混合させた白金ナノ粒子含有プラスチック樹脂を成型器に入れて冷却し、固形化した白金ナノ粒子含有プラスチック樹脂を切断してペレット状とし、白金ナノ粒子含有マスターバッチ・ペレットを得ることができる。
【実施例３】
【００７８】
本実施例３では、直径１ｍｍ、長さ３ｍｍ程度の円筒状の白金ナノ粒子含有マスターバッチ・ペレットを製造した。【００７９】
ＰＰのプラスチック樹脂と上記白金ナノ粒子混合セラミック・パウダーとを、６：４の混合比で１６０℃で溶融混合させて、スラリー化した白金ナノ粒子含有プラスチック樹脂を生成した。これを成型器に入れて冷却し、固形化した当該白金ナノ粒子含有プラスチック樹脂を直径１ｍｍの線状に押出成形し、３ｍｍ間隔で切断して、ペレット状とし、直径１ｍｍ、長さ３ｍｍ程度の円筒状白金ナノ粒子含有マスターバッチ・ペレットを得た。
（２−２−３）抗菌試験
【実施例４】
【００８０】
歯周病菌は、口腔内に常在する種々の細菌を総称する用語であるが、歯周病菌の主要な細菌は、「黄色ブドウ球菌」である。そこで、上記の白金ナノ粒子を含む繊維３（歯ブラシ用の毛）の「黄色ブドウ球菌」に対する抗菌作用を確認するための抗菌試験を行った。【００８１】
本実施例４では、押出成型を用いて、図３のような白金ナノ粒子を含む繊維３を作成した。まず、上記ステップ（１５）において、繊維３の材料（所定の材料プラスチック樹脂）として市販のＰＰ製ペレットを用いた。また、ステップ（１８）で、このＰＰ製のペレットに混合する白金ナノ粒子含有マスターバッチ・ペレットとして、上記実施例３で製造した白金ナノ粒子含有マスターバッチ・ペレットを用いた。すなわち、この白金ナノ粒子混合マスターバッチ・ペレットは、ＰＰのプラスチック樹脂と上記白金ナノ粒子混合セラミック・パウダーとを、６：４の混合比で溶融混合させ、直径１ｍｍ、長さ３ｍｍ程度の円筒状に成形したマスターバッチ・ペレットである。【００８２】
ステップ（１９）において、この白金ナノ粒子含有マスターバッチ・ペレットをＰＰ製ペレット（所定の材料プラスチック樹脂）に、重量比で１％混合して２００℃で溶融混練させ、押出成型機で成形し、冷却させて、本発明に係る白金ナノ粒子を含む繊維３を得た。【００８３】
このような白金ナノ粒子を含む繊維３を用いて、「黄色ブドウ球菌」の抗菌試験を行った。この抗菌性能の試験機関は、「財団法人日本紡績検査協会」である。供資菌は黄色ブドウ球菌とし、試験方法は、「ＪＩＳ  Ｚ  ２８０１」を用いた。「黄色ブドウ球菌」に対する抗菌性能試験の結果を、図５に示す。【００８４】
図５において、増殖値の算出法は「ｌｏｇＭｂ−ｌｏｇＭａ」であり、以下の試験成立条件は、増殖値≧１．０である。そして、図５において、殺菌活性値の算出方法は、殺菌活性値＝ｌｏｇＭａ−ｌｏｇＭｃ、静菌活性値＝（ｌｏｇＭｂ−ｌｏｇＭａ）−（ｌｏｇＭｃ−ｌｏｇＭ０）である。 【００８５】
ここで、「増殖値」とは、白金ナノ粒子を有していない標準綿布において、植菌後１８時間内に生菌が増殖した対数値である。【００８６】
また、「殺菌活性値」は、植え付けた菌を一定時間後にどの程度減少させたかを示す指標で あり、対数表示で示される。即ち、「殺菌活性値」の評価は、
１）「殺菌活性値」が負の場合・・・「与えた菌が増加している」
２）「殺菌活性値」が０の場合・・・「与えた菌の増減はゼロ」
３）「殺菌活性値」が正の場合・・・「与えた菌が減少している」
４）「殺菌活性値」が１の場合・・・「与えた菌が十分の一に減少している」
５）「殺菌活性値」が３の場合・・・「与えた菌が千分の一に減少している」
となる。【００８７】
また、「静菌活性値」は、抗菌処理をしていない試料と比較して、処理した試料が、どの程度、菌の増殖を抑制したかを示す数値であり、抗菌防臭効果を判断するための数値である 。ＪＩＳ規格では、「抗菌防臭効果あり。」の評価の基準は、「静菌活性値」が２．０以 上の場合である。 【００８８】
図５の試験結果より理解される通り、白金ナノ粒子を含む歯ブラシ１用の繊維３の「殺菌活性値」は３．０以上もあり、且つ、その「静菌活性値」は４．８以上であることから、試験試料の、白金ナノ粒子を含む繊維３（歯ブラシ用の毛）は、黄色ブドウ球菌に対して十分に高い抗菌効果を有しているとの結論が得られる。従って、白金ナノ粒子を含む繊維３（歯ブラシ用の毛）を用いた歯ブラシ１は、歯周病菌に対する高い抗菌性能を奏することになる。換言すれば、歯ブラシ１を用いたブラッシングを日々行うことにより、確実に歯周病予防を達成することが可能となる。【００８９】
以上、実施形態、実施例を用いて説明したが、本発明に係る白金ナノ粒子を含む歯ブラシ及びこれらの製造方法は、上記実施形態等に限定されるものではない。【００９０】
その他、本発明は、その主旨を逸脱しない範囲で当業者の知識に基づき種々の改良、修正、変更を加えた態様で実施できるものである。
【産業上の利用可能性】
【００９１】
本発明に係る白金ナノ粒子を含む歯ブラシは、抗菌、抗ウィルス、抗臭効果等を必要とする歯周病菌対策用の歯ブラシとして好適に利用することができる。
【符号の説明】
【００９２】
１：本発明に係る歯ブラシ
３：繊維（歯ブラシの毛）
５：繊維床
７：白金ナノ粒子
１０：繊維群ユニット
２０：本体
２２：ヘッド部
２４：ハンドル部
２６：ネック部
２８：駆動軸
５０：舌ブラシ
１０１：従来の歯ブラシ
１０２：ヘッド部
１０５：繊維束
１０６：繊維
【図１】
2020071277.tif 000003
【図２】
2020071277.tif 000004
【図３】
2020071277.tif 000005
【図４】
2020071277.tif 000006
【図５】
2020071277.tif 000007
【図６】
2020071277.tif 000008
【図７】
2020071277.tif 000009
【図８】
2020071277.tif 000010
【図９】
2020071277.tif 000011
【図１０】
2020071277.tif 000012
【国際調査報告】
2020071277.tif 000013
2020071277.tif 000014
2020071277.tif 000015
2020071277.tif 000016